(57)【要約】【課題】中ろくろと、支骨と中ろくろとを接合する補強骨を設けたため、傘が強い風に煽られても不測に閉じられることのない洋傘の骨構造を提供する。【解決手段】傘軸（１）と、傘軸（１）の石突（３）側の端部に取り付けられた上ろくろ（１１）と、傘軸（１）に沿って移動可能に保持された下ろくろ（１２）と、一端が上ろくろ（１１）に接続された複数の親骨（２１）と、親骨（２１）の各々の中央部と下ろくろ（１２）とを連結する支骨（２２）とからなる傘骨（２）を有する洋傘において、上ろくろ（１１）と下ろくろ（１２）の間に移動可能な中ろくろ（１３）が設けられ、一端が中ろくろ（１３）に固定され他の一端が支骨（２２）に固定される複数の補強骨（１３）とからなるようにした。【選択図】図１
2009131572.tif 000002
【特許請求の範囲】
【請求項１】
傘軸と、傘軸の石突側の端部に取り付けられた上ろくろと、傘軸に沿って移動可能に保持された下ろくろと、一端が上ろくろに接続された複数の親骨と、親骨の各々の中央部と下ろくろとを連結する支骨とから成る傘骨を有する洋傘において、上ろくろと下ろくろの間に移動可能に保持された中ろくろが設けられ、一端が中ろくろに接続され他の一端が支骨に接続される複数の補強骨とからなることを特徴とする洋傘の骨構造。
【請求項２】
傘が完全に開いた状態において、下ろくろと支骨を接続する第２接続部の傘軸上の位置が、親骨と支骨を接続する第３接続部の位置よりも高くなるように設定されていることを特徴とする請求項１に記載の洋傘の骨構造。
【請求項３】
支骨と補強骨を接続する第５接続部の位置が、支骨と親骨を接続する第３接続部の傘軸との長さの約３分の１前後の位置に設定されていることを特徴とする請求項１または請求項２に記載の洋傘の骨構造。
【発明の詳細な説明】
【技術分野】
【０００１】  本発明は、洋傘の骨構造に関するものである。
【背景技術】
【０００２】  従来の洋傘には、折畳式のものと折畳式でない長傘があるが、本発明は折畳式でない長傘に適用されるものである。長傘においては、傘軸にハジキを設けるとともに、ハジキを弾性的に出入自在に保持するスロットを設け、傘を開閉する際ハジキを手指で傘軸内に押し込んで操作するものがある。一方、上記のようなハジキやスロットを設けず、親骨の弾性力と、支骨を介して下ろくろに作用する分力を利用して、下ろくろを石突側に押し上げる方向に作用させてハジキがなくとも傘を開いた状態に保持できるようにしたものがある。【０００３】  しかしながら、ハジキやスロットを設けない上記従来構造では、強風の際風圧が親骨にかかり、その入力が支骨に伝わり下ろくろを押し下げ又は押し上げたりして傘の開状態が維持できなかったり、支骨が変形する場合があった。すなわち、親骨に外圧Ｆ１がかかると下ろくろに上方向（図中Ｕ方向）の力がかかり、支骨は図３のように変形し曲がる（図中破線で図示）ことが多かった。又、親骨に内圧Ｆ２がかかったときは図４のように下ろくろは下に（図中Ｄ方向）下がって傘が閉じてしまうことが多かった。それらを解決するため、支骨を太くすることが考えられるが、入力に耐える太さにし下ろくろや親骨と接合する構造は、大係りであり、見栄えとコストがかかる問題を有している。
【参考文献】
特開平８−３２２６２１
【発明の開示】
【発明が解決しようとする課題】
【０００４】  本発明の目的は、支骨と中ろくろを補助骨で連結し、傘布が強い風に煽られても不測に閉じられることのない洋傘の骨構造を提供することである。
【課題を解決するための手段】
【０００５】  上記の目的を達成するための本発明は、請求項１に記載の通り、傘軸と、傘軸の石突側の端部に取り付けられた上ろくろと、傘軸に沿って移動可能に保持された下ろくろと、一端が上ろくろに接続された複数の親骨と、親骨の各々の中央部と下ろくろとを連結する支骨とから成る傘骨とを有する洋傘において、上ろくろと下ろくろの間に移動可能に保持された中ろくろが設けられ、一端が中ろくろに接続され他の一端が支骨に接続される複数の補強骨とからなることを特徴とする。【０００６】  また、傘が完全に開いた状態において、下ろくろと支骨を接続する第２接続部の傘軸上の位置が、親骨と支骨を接続する第３接続部の位置よりも高くなるように設定されていることを特徴とする。【０００７】  さらに、支骨と補強骨を接続する第５接続部の位置が、支骨と親骨を接続する第３接続部の傘軸との長さの約３分の１前後の位置に設定されたことを特徴とする。
【発明の効果】
【０００８】  本発明によると、上ろくろと下ろくろの間に中ろくろが設けられ、一端が中ろくろに固定され、他の一端が支骨に固定される複数の補強骨を有するため、傘布が強い風に煽られても不測に閉じられることのない効果を有している。
【発明を実施するための最良の形態】
【０００９】  以下本発明を実施するための最良の形態について図面に基づき説明する。図１において、１は傘軸、１１は傘軸の石突３側に取り付られた上ろくろ、１２は傘軸１に沿ってスライド自在に設けられた下ろくろ、２２は支骨であり、一端が下ろくろに接合され、他端が親骨２１に接合されている。【００１０】  親骨２１はその一端に設けた第１接続部２１１により上ろくろ１１に回動自在に接続されており、支骨２２は、その一端が第２接続部１２２により下ろくろ１２に、他の一端が第３接続部２１２により親骨２１のほぼ中間位置にそれぞれ回動自在に接続され、これにより傘骨２が開閉自在に構成されている。【００１１】  ２３は補強骨である。補強骨２３は一端が第４接続部２１３により中ろくろ１３に接続され、他の一端が第５接続部２３２により支骨２２に接続され、中ろくろ１３及び下ろくろ１２が傘軸１をスライドするのに伴って支骨２２と補強骨２３が連動するようになっている。【００１２】  第３接続部２１２および第５接続部２３２は、断面がコ字状である傘骨の一部をかしめて接合部材を取り付けるなどの従来の接続構造でよい。第１接続部２１１および第２接続部１２２はろくろの上端に傘骨収容溝を設け傘骨を差込み、ワイヤーで固定するなどの従来構造でよい。【００１３】  第２接続部１２２の傘軸１上の位置は、傘が完全に開いた状態において、第３接続部２１２の位置よりも高くなるように設定されており、親骨２１の弾性力により傘が閉じてしまうことがない。また、第５接続部２３２は支骨全体の長さのほぼ３分の１前後の傘軸側に位置することが望ましい。【００１４】  傘布Ｒに、親骨２１を伸ばす方向に外力がかかったときには、第２接続部より第３接続部が高い位置にあるため、支骨２２を介して下ろくろ１２が傘軸１の上方向に押されるが、補強骨２３と中ろくろ１３とによりそれに抗する力を得ることができる。また、親骨２１を曲げる方向に外力がかかったときは、支骨２２は上方へ変形する方向に押されるが、補強骨２３が梁の役割を果たすため変形することがない。このとき、中ろくろ１３は上ろくろ１１に当接しストッパーとなり多くの入力に耐えることができる。【００１５】  このように本発明による洋傘の骨構造は、支骨２２と中ろくろ１３が補強骨２３により接続されたものであるから、従来のように強風で傘布が煽られても不測に傘が閉じられたり、裏返ることが防止できる利点を有している。
【図面の簡単な説明】
【００１６】
【図１】本発明に係る洋傘を開いた状態を示す説明図である。
【図２】本発明に係る洋傘を閉じた状態を示す説明図である。
【図３】従来の洋傘に外圧がかかったと状態を示す説明図である。
【図４】従来の洋傘に内圧がかかったと状態を示す説明図である。
【符号の説明】
【００１７】１・・・傘軸
１１・・・上ろくろ
１２・・・下ろくろ
１３・・・中ろくろ
２・・・傘骨
２１・・・親骨
２２・・・支骨
２３・・・補強骨
１２２・・・第２接続部
２１１・・・第１接続部
２１２・・・第３接続部
２１３・・・第４接続部
２３２・・・第５接続部
３・・・石突
Ｒ・・・傘布
【図１】
2009131572.tif 000003
【図２】
2009131572.tif 000004
【図３】
2009131572.tif 000005
【図４】
2009131572.tif 000006